(57)【要約】音場再生装置は、複数チャンネルの入力オーディオ信号を取得する信号取得手段と、前記入力オーディオ信号に対して、音響エフェクトを与えて出力するエフェクト付加手段と、前記入力オーディオ信号の特性に基づいて、前記入力オーディオ信号に与える音響エフェクト量を制御するエフェクト量制御手段と、を備える。音場再生装置は、例えばＤＶＤなどのメディアから複数チャンネルの入力オーディオ信号を受け取り、音響エフェクトを与えて出力する。ここで、各入力オーディオ信号に与えられるエフェクトの量は、入力オーディオ信号の特性、特にチャンネル間の残響成分の相互相関度に基づいて制御される。
2008111143.tif 000002
【特許請求の範囲】
【請求項１】
複数チャンネルの入力オーディオ信号を取得する信号取得手段と、
音場への出力に対してエフェクトを与えるエフェクト付加手段と、
前記入力オーディオ信号の特性に基づいて、前記エフェクトの量を制御するエフェクト量制御手段と、を備えることを特徴とする音場再生装置。
【請求項２】
前記入力オーディオ間における残響成分の相関度を検出する相関度検出手段を備え、
前記エフェクト量制御手段は、前記残響成分の相関度に応じて前記エフェクトの量を制御することを特徴とする請求項１に記載の音場再生装置。
【請求項３】
前記相関度検出手段は、前記１つのチャンネルの入力オーディオ信号を遅延させた遅延信号と、前記他の１つのチャンネルの入力オーディオ信号との間の相関度を算出することを特徴とする請求項２に記載の音場再生装置。
【請求項４】
前記エフェクト量制御手段は、前記相関度が高いほど、前記エフェクトの量を大きくすることを特徴とする請求項２又は３に記載の音場再生装置。
【請求項５】
前記音場への出力は音声出力であり、前記エフェクト量制御手段は前記入力オーディオ信号に与えるエフェクトの量を制御することを特徴とする請求項１乃至４のいずれか一項に記載の音場再生装置。
【請求項６】
前記相関度検出手段は、前記複数チャンネルの入力オーディオ信号のうち、１つのチャンネルの入力オーディオ信号の残響成分と、他の１つのチャンネルの入力オーディオ信号との間の残響成分の相関度を検出し、
前記エフェクト量制御手段は、前記残響成分の相関度に応じて、前記他の１つのチャンネルの入力オーディオ信号に与えるエフェクトの量を制御することを特徴とする請求項５に記載の音場再生装置。
【請求項７】
前記音場への出力は照明であり、前記エフェクト量制御手段は前記照明の明るさ及び／又は色を制御することを特徴とする請求項１乃至６のいずれか一項に記載の音場再生装置。
【請求項８】
前記音場への出力は前記音場に配置された機器の表示部の照明であり、前記エフェクト量制御手段は前記照明の明るさ及び／又は色を制御することを特徴とする請求項１乃至７のいずれか一項に記載の音場再生装置。
【請求項９】
複数チャンネルの入力オーディオ信号を取得する信号取得工程と、
音場への出力に対してエフェクトを与えるエフェクト付加工程と、
前記入力オーディオ信号の特性に基づいて、前記エフェクトの量を制御するエフェクト量制御工程と、を備えることを特徴とする音場再生方法。
【請求項１０】
前記入力オーディオ間における残響成分の相関度を検出する相関度検出工程を備え、
前記エフェクト量制御工程は、前記残響成分の相関度に応じて前記エフェクトの量を制御することを特徴とする請求項９に記載の音場再生方法。
【発明の詳細な説明】
【技術分野】
【０００１】
本発明は、複数のスピーカを備えるオーディオシステムにおいて音場特性を再生する音場再生装置に関する。
【背景技術】
【０００２】
近年普及しているマルチチャンネルサラウンドオーディオシステムは、例えば５〜８程度のチャンネルを有し、これらのチャンネルの音声出力を制御するアンプ装置と、これらのチャンネルに対応する数のスピーカを備えている。サラウンド再生を実現するためには、各スピーカを適切な位置に設置すると共に、各スピーカの特性に適合するように音声信号の音圧レベルや周波数特性を適切に設定することが要求される。そこで、かかるサラウンドオーディオシステムにおけるアンプ装置は、チャンネルごとにイコライザや増幅器を備えているものが多い。【０００３】
また、より臨場感のある音場を再現するため、入力信号の残響音を利用する手法が提案されている。例えば、特許文献１では、音響信号と聴取者の位置情報に基づいて残響音信号を生成し、その残響音信号を原信号に合成して再生している。【０００４】
【特許文献１】特開２００３−９１２９３号公報
【発明の開示】
【発明が解決しようとする課題】
【０００５】
特許文献１に記載の手法では、仮想空間内で聴取者が意図する音場をリアルに再現することが可能である。しかし、所望の音場を再現するためには、聴取者がコンテンツ制作側など、多少なりとも専門的な知識を有することが必要となる。【０００６】
本発明が解決しようとする課題としては、上記のようなものが例として挙げられる。本発明は、聴取者が意識することなく、自動的にエフェクトの量を調整し、ダイナミックな音場を提供することが可能な音場再生装置を提供することを課題とする。
【課題を解決するための手段】
【０００７】
請求項１に記載の発明は、音場再生装置であって、複数チャンネルの入力オーディオ信号を取得する信号取得手段と、音場への出力に対してエフェクトを与えるエフェクト付加手段と、前記入力オーディオ信号の特性に基づいて、前記エフェクトの量を制御するエフェクト量制御手段と、を備えることを特徴とする。【０００８】
請求項９に記載の発明は、音場再生方法であって、複数チャンネルの入力オーディオ信号を取得する信号取得工程と、音場への出力に対してエフェクトを与えるエフェクト付加工程と、前記入力オーディオ信号の特性に基づいて、前記エフェクトの量を制御するエフェクト量制御工程と、を備えることを特徴とする。
【図面の簡単な説明】
【０００９】
【図１】本発明の音場再生装置を適用したマルチチャンネルオーディオシステムの概略構成を示すブロック図である。
【図２】図１に示す残響相関度検出部及びエフェクト量制御部の詳細を示すブロック図である。
【図３】残響相関度演算処理のフローチャートである。
【図４】残響相関度とエフェクト量の補正係数との関係を示す例である。
【符号の説明】
【００１０】
１  マルチチャンネルオーディオシステム
４  スピーカ
５  信号ソース
１０  アンプ装置
１１  エフェクト付加部
１２  残響相関度検出部
１３  エフェクト量制御部
【発明を実施するための最良の形態】
【００１１】
本発明の好適な実施形態による音場再生装置は、複数チャンネルの入力オーディオ信号を取得する信号取得手段と、音場への出力に対してエフェクトを与えるエフェクト付加手段と、前記入力オーディオ信号の特性に基づいて、前記エフェクトの量を制御するエフェクト量制御手段と、を備える。【００１２】
上記の音場再生装置は、例えばＤＶＤなどのメディアから複数チャンネルの入力オーディオ信号を受け取り、それに基づいて音場への出力にエフェクトを与える。ここで、与えられるエフェクトの量は、入力オーディオ信号の特性に基づいて制御される。よって、メディアに含まれるオーディオ信号に応じて、効果的なエフェクトを与えることができる。【００１３】
上記の音場再生装置の一態様では、前記音場への出力は音声出力であり、前記エフェクト量制御手段は前記入力オーディオ信号に与えるエフェクトの量を制御する。また、他の一態様では、前記音場への出力は照明であり、前記エフェクト量制御手段は前記照明の明るさ及び／又は色を制御する。さらに他の一態様では、前記音場への出力は前記音場に配置された機器の表示部の照明であり、前記エフェクト量制御手段は前記照明の明るさ及び／又は色を制御する。【００１４】
上記の音場再生装置の一態様では、前記入力オーディオ間における残響成分の相関度を検出する相関度検出手段を備え、前記エフェクト量制御手段は、前記残響成分の相関度に応じて前記エフェクトの量を制御する。この態様では、残響成分の相関度に応じてエフェクトの量が制御されるので、メディアに記録されたコンテンツの場面などに応じて、ダイナミックな空間表現が可能となる。【００１５】
好適な例では、前記相関度検出手段は、前記複数チャンネルの入力オーディオ信号のうち、１つのチャンネルの入力オーディオ信号の残響成分と、他の１つのチャンネルの入力オーディオ信号との間の残響成分の相関度を検出し、前記エフェクト量制御手段は、前記残響成分の相関度に応じて、前記他の１つのチャンネルの入力オーディオ信号に与えるエフェクトの量を制御する。好適には、前記相関度検出手段は、前記１つのチャンネルの入力オーディオ信号を遅延させた遅延信号と、前記他の１つのチャンネルの入力オーディオ信号との間の相関度を算出する。【００１６】
また、上記の音場再生装置の他の一態様では、前記エフェクト量制御手段は、前記相関度が高いほど、前記エフェクトの量を大きくする。これにより、再生されるコンテンツ中の場面などに応じて、空間表現をより強調することができる。【００１７】
本発明の他の実施形態による音場再生方法は、複数チャンネルの入力オーディオ信号を取得する信号取得工程と、音場への出力に対してエフェクトを与えるエフェクト付加工程と、前記入力オーディオ信号の特性に基づいて、前記エフェクトの量を制御するエフェクト量制御工程と、を備える。この音場再生方法によれば、音場への出力に与えられるエフェクトの量は、入力オーディオ信号の特性に基づいて制御される。よって、メディアに含まれるオーディオ信号に応じて、効果的なエフェクトを与えることができる。【００１８】
上記の音場再生方法の好適な態様では、前記入力オーディオ間における残響成分の相関度を検出する相関度検出工程を備え、前記エフェクト量制御工程は、前記残響成分の相関度に応じて前記エフェクト量を制御する。
【実施例】
【００１９】
以下、図面を参照して本発明の好適な実施例について説明する。【００２０】
図１は、本発明を適用したマルチチャンネルオーディオシステムのブロック図である。図示のように、マルチチャンネルオーディオシステム（以下、単に「オーディオシステム」と呼ぶ。）１は、信号ソース５と、アンプ装置１０と、６個のスピーカ４Ａ〜４Ｆを備える。【００２１】
信号ソース５は、例えばＤＶＤプレイヤーなどであり、マルチチャンネルの入力オーディオ信号７Ａ〜７Ｆを出力する。アンプ装置１０は、入力オーディオ信号７Ａ〜７Ｆに対して、音響エフェクト（以下、「エフェクト」と呼ぶ。）を付加し、各スピーカ４Ａ〜４Ｆに供給する。【００２２】
スピーカ４Ａ〜４Ｆは、具体的には、左側フロントスピーカ４Ａ、右側フロントスピーカ４Ｂ、センタスピーカ４Ｃ、サブウーファー４Ｄ、左側リアスピーカ４Ｅ及び右側リアスピーカ４Ｆである。これらのスピーカにより、サラウンド再生を実現することができる。【００２３】
アンプ装置１０は、各チャンネルに対応して設けられたエフェクト付加部１１Ａ〜１１Ｆと、残響相関度検出部１２と、エフェクト量制御部１３とを備える。【００２４】
エフェクト付加部１１Ａ〜１１Ｆは、それぞれ対応するチャンネルの入力オーディオ信号７Ａ〜７Ｆに対して、所定のエフェクトを付加する。エフェクトの例としては、入力オーディオ信号に残響成分を付加する残響エフェクト、入力オーディオ信号を遅延するディレイエフェクト、などが挙げられる。なお、同じ残響エフェクトであっても、付加する残響成分の量やタイミングなどにより複数種類の残響エフェクトを実現することができる。同様に、遅延時間を変更することにより、複数種類のディレイエフェクトを実現することができる。【００２５】
残響相関度検出部１２は、入力オーディオ信号間の残響成分の相互相関度（「残響相関度」とも呼ぶ。）を検出する。エフェクト量制御部１３は、残響相関度検出部１２が検出した残響相関度に基づいて、各エフェクト付加部１１Ａ〜１１Ｆが付加するエフェクトの量を決定し、各エフェクト付加部１１Ａ〜１１Ｆに制御信号１５Ａ〜１５Ｆを供給する。各エフェクト付加部１１Ａ〜１１Ｆは、供給された制御信号１５Ａ〜１５Ｆに応じた量のエフェクトを入力オーディオ信号７Ａ〜７Ｆに付加する。【００２６】
なお、エフェクト付加部１１Ａ〜１１Ｆとスピーカ４Ａ〜４Ｆの間には、図示しないＤ／Ａ変換器や増幅器などが設けられてもよい。【００２７】
図２は、残響相関度検出部１２及びエフェクト量制御部１３の構成を示す。残響相関度検出部１２は、バッファ２１と、残響相関度演算部２２とを備える。残響相関度演出部１２は実際にはＤＳＰ（Ｄｉｇｉｔａｌ  Ｓｉｇｎａｌ  Ｐｒｏｃｅｓｓｏｒ）などにより構成することができる。なお、図２においては、説明の便宜上、２つのチャンネルの入力オーディオ信号の残響相関度を検出するのに必要な構成のみを示している。よって、実際には、入力オーディオ信号のチャンネル数に対応する数のバッファ２１が設けられることになる。【００２８】
入力オーディオ信号間の残響相関度とは、基本的には１つの信号の残響成分と、他の１つの信号との間の相関度を指す。ある１つの信号の成分は、時間軸上における少し後の時刻において他の１つの信号に混入しうる。よって、ある１つの信号の成分をバッファ２１により所定時間だけ遅延させたものと、他の１つの信号の成分との間の相関度を計算することにより、残響相関度が得られる。【００２９】
この観点から、入力オーディオ信号間の残響相関度は、入力オーディオ信号のチャンネル数の２乗個算出することができる。本実施例では、入力オーディオ信号は６チャンネルであるので、３０個の残響相関度を算出することができる。この場合、例えば入力オーディオ信号７Ａと７Ｂの組み合わせに関して、入力オーディオ信号７Ａの残響成分と入力オーディオ信号７Ｂとの間の残響相関度と、入力オーディオ信号７Ｂの残響成分と入力オーディオ信号７Ａとの間の残響相関度とは別ものとなる。【００３０】
図２において、マルチチャンネルの入力オーディオ信号７Ａ〜７Ｆのうち、１つを信号Ｓｉとし、他の１つを信号Ｓｊとする。ここで、信号Ｓｉは残響の影響を受ける側のチャンネルの信号であり、信号Ｓｊは残響の影響を与える側のチャンネルの信号である。即ち、信号Ｓｊの残響成分が信号Ｓｉに混入すると想定し、信号Ｓｊの遅延信号と信号Ｓｉとの相関度を計算する。【００３１】
具体的に、図２において、残響相関度演算部２２は、信号Ｓｉと、信号Ｓｊをバッファ２１により所定時間遅延した信号Ｓｊｄとを受け取り、これらの信号間の相関度を算出する。ここで、信号Ｓｉ及びＳｊをデジタル信号とし、信号Ｓｉの各サンプルを「ｘ」で示し、信号Ｓｊの各サンプルを「ｙ」で示し、バッファ２１の遅延時間（遅延サンプル数）を「ｍ」サンプル分とすると、残響相関度Ｒｍは以下の式（１）で得られる。【００３２】
【数１】
2008111143.tif 000003
なお、遅延時間ｍの値は、信号Ｓｊの成分が残響成分として信号Ｓｊに混入するのに要する時間に相当する。但し、実際には、各信号の残響成分が他の信号に混入する際の遅延時間は不明であるため、本実施例では、遅延時間ｍを予め決めた範囲で変更して残響相関度を算出する。具体的には、残響相関度の検出においては、あるチャンネルの信号を他のチャンネルに割り付けた成分や、直接音の成分を除外する必要がある。この観点から、遅延時間ｍは、開始値ｍｓとして例えば５ｍ秒程度に相当するサンプル数とし、終了値ｍｅとして通常の空間における残響時間に相当するサンプル数とすることができる。【００３３】
図３は、残響相関度演算処理のフローチャートである。この処理は、基本的に残響相関度演算部２２により実行される。【００３４】
まず、マルチチャンネルの入力オーディオ信号のうち、２つの信号Ｓｉ及びＳｊが選択される（ステップＳ１０１）。次に、残響相関度の最大値を示す変数である最大相関度Ｒｍａｘを０にリセットする（ステップＳ１０２）。そして、遅延時間（遅延サンプル数）ｍを開始値ｍｓに設定する（ステップＳ１０３）。これにより、バッファ２１の遅延サンプル数がｍｓに設定され、残響相関度演算部２２は、信号Ｓｉと、信号Ｓｊをｍサンプル分遅延させた信号Ｓｊｄとの相関度Ｒｍを算出する（ステップＳ１０４）。【００３５】
次に、残響相関度演算部２２は、得られた相関度Ｒｍを最大相関度Ｒｍａｘと比較し（ステップＳ１０５）、最大相関度Ｒｍａｘより大きい場合には、得られた相関度Ｒｍを最大相関度Ｒｍａｘに代入し（ステップＳ１０６）、処理はステップＳ１０７へ進む。一方、得られた相関度Ｒｍが最大相関度Ｒｍａｘより小さい場合、処理は直接ステップＳ１０７へ進む。【００３６】
そして、残響相関度演算部２２は、現在の遅延サンプル数が終了値ｍｅに到達しているか否かを判定する（ステップＳ１０７）。終了値ｍｅに到達している場合、処理はステップＳ１０９へ進む。一方、終了値ｍｅに到達していない場合、残響相関度演算部２２は制御信号Ｓｃをバッファ２１へ供給してバッファ２１における遅延サンプル数ｍを増加させ（ステップＳ１０８）、ステップＳ１０４〜Ｓ１０７を繰り返す。【００３７】
こうして、遅延サンプル数ｍが開始値ｍｓから終了値ｍｅになるまで、残響相関度Ｒｍが繰り返し算出され、その最大値が最大相関度Ｒｍａｘとして保持される。そして、遅延サンプル数ｍが終了値ｍｅに到達すると（ステップＳ１０７；Ｙｅｓ）、その時の最大相関度Ｒｍａｘが信号ＳｉとＳｊとの残響相関度Ｒｉｊとして出力され（ステップＳ１０９）、処理は終了する。【００３８】
以上の処理は、複数チャンネルの入力オーディオ信号の全ての組み合わせについて実行される。即ち、本実施例では、６チャンネルの入力オーディオ信号７Ａ〜７Ｆについて、３０個の残響相関度Ｒｉｊ（ｉ＝Ａ〜Ｆ、ｊ＝Ａ〜Ｆ）が算出され、エフェクト量制御部１３へ供給される。【００３９】
次に、エフェクト量制御部１３における処理について説明する。上述のように、本実施例では、６チャンネルの分の３０個の残響相関度Ｒｉｊ（ｉ＝Ａ〜Ｆ、ｊ＝Ａ〜Ｆ）がエフェクト量制御部１３に供給される。図２に示すように、エフェクト量制御部１３は、補正係数記憶部２５と、エフェクト量決定部２４とを備える。【００４０】
エフェクト量制御部１３が変更する前の各エフェクト付加部１１Ａ〜１１Ｆによるエフェクト量は、例えば、ユーザの設定、信号ソースの種類などに応じて決定されている。これに対し、エフェクト量制御部１３は、残響相関度に応じたエフェクト量の補正を行う。【００４１】
例えば、あるチャンネルと他のチャンネルの残響相関度が低い場合には、音源制作者の意図又は録音環境などに起因して残響の少ない場面であると推定し、残響エフェクト、ディレイエフェクトなどのエフェクト量を少なくする。一方、残響相関度が高い場合は、残響の多い場面であると推定し、残響エフェクト、ディレイエフェクトなどのエフェクト量を増加させ、空間を強調する演出を行う。【００４２】
補正係数記憶部２５には、残響相関度Ｒｉｊと、エフェクト量補正係数との関係を示す補正係数テーブルが記憶されている。補正係数テーブルの例を図４（Ａ）及び４（Ｂ）に示す。図４（Ａ）及び４（Ｂ）のいずれの例でも、残響相関度Ｒｉｊが増加するにつれて補正係数の値が大きくなる。即ち、ある１つのチャンネルに対する、他のチャンネルからの残響成分の混入が大きいほど、エフェクト量を増加させ、エフェクトの効果を強調する。これにより、信号ソースの特性に応じて臨場感のある音場再生が可能となる。図４（Ａ）の例では残響相関度Ｒｉｊの増加に応じてエフェクト量補正係数が連続的に増加し、図４（Ｂ）の例では残響相関度のＲｉｊの増加に応じてエフェクト量補正係数が段階的に増加する。なお、これらは単なる例であり、補正係数テーブルの内容はこれに限定されない。【００４３】
本実施例では、残響相関度検出部１２は前述のように６チャンネルの入力オーディオ信号に対応して３０個の残響相関度Ｒｉｊをエフェクト量制御部１３に供給する。よって、基本的には、補正係数記憶部１３は、これらに対応する３０個の補正係数テーブルを持てばよい。但し、メモリ容量の節約などの観点から、１つの補正係数テーブルを複数のチャンネル間の組み合わせに対して兼用してもよい。また、上記の例では、補正係数を予めテーブルとして記憶しているが、その代わりに、補正係数を演算で求めることとしてもよい。【００４４】
こうして、残響相関度Ｒｉｊに基づいて補正されたエフェクト量は、制御信号１５Ａ〜１５Ｆとして各エフェクト付加部１１Ａ〜１１Ｆへ供給される。【００４５】
以上のように、本実施例では、ＤＶＤなどの再生メディアに含まれるオーディオ信号からチャンネル間の相互残響成分の相関度を検出し、それをパラメータとして各チャンネルに適用するエフェクト量を自動調整するので、信号ソースの内容に適合したダイナミックな空間表現が可能となる。【００４６】
［変形例］
上記の実施例では、全てのチャンネルの組み合わせについて残響相関度を検出して、エフェクト量の制御に利用しているが、これを特定のチャンネルの組み合わせのみに限定してもかまわない。例えば、一般的に残響成分の相関度が高くなりやすい組み合わせ、例えばセンタチャンネルからフロントの左右チャンネルへの残響成分の影響、及び、フロントの左右チャンネルからサラウンドチャンネルへの残響成分の影響のみをエフェクト量に反映するようにしてもよい。これにより、残響相関度の演算負荷を軽減しつつ、効果的なエフェクトを実行することができる。【００４７】
また、チャンネルの組み合わせ毎に、エフェクト量を補正する度合いを異ならせてもよい。例えば、上記のように相関度が高くなりやすい組み合わせに対しては、それ以外の組み合わせよりも補正係数を大きく設定し、同程度の残響相関度でも、エフェクト量の増加度合いが大きくなるようにしてもよい。【００４８】
さらには、入力オーディオ信号のレベルに着目してもよい。例えば、あるタイミングにおいてレベルが所定値より大きいチャンネルを直接音を含む優勢チャンネルと判断し、レベルが所定値より小さいチャンネルを残響成分のみを含む劣勢チャンネルと判断する。そして、優勢チャンネルと劣勢チャンネルとの間の残響相関度のみを利用してエフェクト量を制御することとしてもよい。これによっても、残響相関度の演算負荷を軽減しつつ、個々のタイミングにおいて効果的なエフェクトを実行することができる。【００４９】
上記の実施例では、エフェクトの例として、残響エフェクト、ディレイエフェクトなどを挙げているが、その代わりに又はそれらに加えて、オーディオシステム１が設置された部屋の明るさ及び／又は色、もしくはアンプ装置１０の表示部の明るさ及び／又は色などを変化させるライトエフェクトを含めてもよい。【００５０】
また、上記の実施例では、エフェクト量を制御するベースとして残響相関度を挙げているが、その代わりに、入力オーディオ信号の歪み量、高調波のレベルなど、他の入力オーディオ信号の特性に応じてエフェクト量を制御することとしてもよい。
【産業上の利用可能性】
【００５１】
本発明は、例えばホームシアター製品、オーディオ製品、映画館の音響設備など、マルチチャンネルオーディオ信号を再生する各種の装置やシステムに利用することができる。
【図１】
2008111143.tif 000004
【図２】
2008111143.tif 000005
【図３】
2008111143.tif 000006
【図４】
2008111143.tif 000007
【手続補正書】
【提出日】平成21年1月8日(2009.1.8)
【手続補正１】
【補正対象書類名】特許請求の範囲
【補正対象項目名】全文
【補正方法】変更
【補正の内容】
【特許請求の範囲】
【請求項１】
複数チャンネルの入力オーディオ信号を取得する信号取得手段と、
前記入力オーディオ信号間における残響成分の相関度を検出する相関度検出手段と、
音場への出力に対してエフェクトを与えるエフェクト付加手段と、
前記残響成分の相関度に応じて、前記エフェクトの量を制御するエフェクト量制御手段と、を備え、
前記相関度検出手段は、遅延時間を予め決めた範囲内で変更しつつ、１つのチャンネルの入力オーディオ信号を前記遅延時間遅延させた遅延信号と、他の１つのチャンネルの入力オーディオ信号との間の相関度を算出し、前記範囲内で変更された各遅延時間に対応する相関度のうちの最大値を前記残響成分の相関度と決定することを特徴とする音場再生装置。
【請求項２】
（削除）
【請求項３】
（削除）
【請求項４】
前記エフェクト量制御手段は、前記相関度が高いほど、前記エフェクトの量を大きくすることを特徴とする請求項１に記載の音場再生装置。
【請求項５】
前記音場への出力は音声出力であり、前記エフェクト量制御手段は前記入力オーディオ信号に与えるエフェクトの量を制御することを特徴とする請求項１又は４のいずれか一項に記載の音場再生装置。
【請求項６】
前記相関度検出手段は、前記複数チャンネルの入力オーディオ信号のうち、１つのチャンネルの入力オーディオ信号の残響成分と、他の１つのチャンネルの入力オーディオ信号との間の残響成分の相関度を検出し、
前記エフェクト量制御手段は、前記残響成分の相関度に応じて、前記他の１つのチャンネルの入力オーディオ信号に与えるエフェクトの量を制御することを特徴とする請求項５に記載の音場再生装置。
【請求項７】
前記音場への出力は照明であり、前記エフェクト量制御手段は前記照明の明るさ及び／又は色を制御することを特徴とする請求項１、４乃至６のいずれか一項に記載の音場再生装置。
【請求項８】
前記音場への出力は前記音場に配置された機器の表示部の照明であり、前記エフェクト量制御手段は前記照明の明るさ及び／又は色を制御することを特徴とする請求項１、４乃至７のいずれか一項に記載の音場再生装置。
【請求項９】
複数チャンネルの入力オーディオ信号を取得する信号取得工程と、
前記入力オーディオ信号間における残響成分の相関度を検出する相関度検出工程と、
音場への出力に対してエフェクトを与えるエフェクト付加工程と、
前記残響成分の相関度に応じて、前記エフェクトの量を制御するエフェクト量制御工程と、を備え、
前記相関度検出工程は、遅延時間を予め決めた範囲内で変更しつつ、１つのチャンネルの入力オーディオ信号を前記遅延時間遅延させた遅延信号と、他の１つのチャンネルの入力オーディオ信号との間の相関度を算出し、前記範囲内で変更された各遅延時間に対応する相関度のうちの最大値を前記残響成分の相関度と決定することを特徴とする音場再生方法。
【請求項１０】
前記入力オーディオ間における残響成分の相関度を検出する相関度検出工程を備え、
前記エフェクト量制御工程は、前記残響成分の相関度に応じて前記エフェクトの量を制御することを特徴とする請求項９に記載の音場再生方法。
【請求項１１】
前記予め決めた範囲は、前記入力オーディオ信号が直接音成分を含まなくなる程度の遅延時間を開始値とし、通常の空間における残響時間に相当する遅延時間を終了値とすることを特徴とする請求項１に記載の音場再生装置。
【請求項１２】
前記予め決めた範囲は、前記入力オーディオ信号が直接音成分を含まなくなる程度の遅延時間を開始値とし、通常の空間における残響時間に相当する遅延時間を終了値とすることを特徴とする請求項９に記載の音場再生方法。
【手続補正書】
【提出日】平成21年9月3日(2009.9.3)
【手続補正１】
【補正対象書類名】特許請求の範囲
【補正対象項目名】全文
【補正方法】変更
【補正の内容】
【特許請求の範囲】
【請求項１】
複数チャンネルの入力オーディオ信号を取得する信号取得手段と、
前記入力オーディオ信号間における残響成分の相関度を検出する相関度検出手段と、
音場への出力に対してエフェクトを与えるエフェクト付加手段と、
前記残響成分の相関度に応じて、前記エフェクトの量を制御するエフェクト量制御手段と、を備え、
前記相関度検出手段は、遅延時間を予め決めた範囲内で変更しつつ、１つのチャンネルの入力オーディオ信号を前記遅延時間遅延させた遅延信号と、他の１つのチャンネルの入力オーディオ信号との間の相関度を算出し、前記範囲内で変更された各遅延時間に対応する相関度のうちの最大値を前記残響成分の相関度と決定することを特徴とする音場再生装置。
【請求項２】
前記予め決めた範囲は、前記入力オーディオ信号が直接音成分を含まなくなる程度の遅延時間を開始値とし、通常の空間における残響時間に相当する遅延時間を終了値とすることを特徴とする請求項１に記載の音場再生装置。
【請求項３】
前記エフェクト量制御手段は、前記相関度が高いほど、前記エフェクトの量を大きくすることを特徴とする請求項１に記載の音場再生装置。
【請求項４】
前記音場への出力は音声出力であり、前記エフェクト量制御手段は前記入力オーディオ信号に与えるエフェクトの量を制御することを特徴とする請求項１乃至３のいずれか一項に記載の音場再生装置。
【請求項５】
前記相関度検出手段は、前記複数チャンネルの入力オーディオ信号のうち、１つのチャンネルの入力オーディオ信号の残響成分と、他の１つのチャンネルの入力オーディオ信号との間の残響成分の相関度を検出し、
前記エフェクト量制御手段は、前記残響成分の相関度に応じて、前記他の１つのチャンネルの入力オーディオ信号に与えるエフェクトの量を制御することを特徴とする請求項４に記載の音場再生装置。
【請求項６】
前記音場への出力は照明であり、前記エフェクト量制御手段は前記照明の明るさ及び／又は色を制御することを特徴とする請求項１乃至５のいずれか一項に記載の音場再生装置。
【請求項７】
前記音場への出力は前記音場に配置された機器の表示部の照明であり、前記エフェクト量制御手段は前記照明の明るさ及び／又は色を制御することを特徴とする請求項１乃至６のいずれか一項に記載の音場再生装置。
【請求項８】
複数チャンネルの入力オーディオ信号を取得する信号取得工程と、
前記入力オーディオ信号間における残響成分の相関度を検出する相関度検出工程と、
音場への出力に対してエフェクトを与えるエフェクト付加工程と、
前記残響成分の相関度に応じて、前記エフェクトの量を制御するエフェクト量制御工程と、を備え、
前記相関度検出工程は、遅延時間を予め決めた範囲内で変更しつつ、１つのチャンネルの入力オーディオ信号を前記遅延時間遅延させた遅延信号と、他の１つのチャンネルの入力オーディオ信号との間の相関度を算出し、前記範囲内で変更された各遅延時間に対応する相関度のうちの最大値を前記残響成分の相関度と決定することを特徴とする音場再生方法。
【請求項９】
前記予め決めた範囲は、前記入力オーディオ信号が直接音成分を含まなくなる程度の遅延時間を開始値とし、通常の空間における残響時間に相当する遅延時間を終了値とすることを特徴とする請求項８に記載の音場再生方法。
【手続補正２】
【補正対象書類名】明細書
【補正対象項目名】０００７
【補正方法】変更
【補正の内容】
【０００７】
請求項１に記載の発明は、音場再生装置であって、複数チャンネルの入力オーディオ信号を取得する信号取得手段と、前記入力オーディオ信号間における残響成分の相関度を検出する相関度検出手段と、音場への出力に対してエフェクトを与えるエフェクト付加手段と、前記残響成分の相関度に応じて、前記エフェクトの量を制御するエフェクト量制御手段と、を備え、前記相関度検出手段は、遅延時間を予め決めた範囲内で変更しつつ、１つのチャンネルの入力オーディオ信号を前記遅延時間遅延させた遅延信号と、他の１つのチャンネルの入力オーディオ信号との間の相関度を算出し、前記範囲内で変更された各遅延時間に対応する相関度のうちの最大値を前記残響成分の相関度と決定することを特徴とする。
【手続補正３】
【補正対象書類名】明細書
【補正対象項目名】０００８
【補正方法】変更
【補正の内容】
【０００８】
請求項８に記載の発明は、音場再生方法であって、複数チャンネルの入力オーディオ信号を取得する信号取得工程と、前記入力オーディオ信号間における残響成分の相関度を検出する相関度検出工程と、音場への出力に対してエフェクトを与えるエフェクト付加工程と、前記残響成分の相関度に応じて、前記エフェクトの量を制御するエフェクト量制御工程と、を備え、前記相関度検出工程は、遅延時間を予め決めた範囲内で変更しつつ、１つのチャンネルの入力オーディオ信号を前記遅延時間遅延させた遅延信号と、他の１つのチャンネルの入力オーディオ信号との間の相関度を算出し、前記範囲内で変更された各遅延時間に対応する相関度のうちの最大値を前記残響成分の相関度と決定することを特徴とする。
【国際調査報告】
2008111143.tif 000008
2008111143.tif 000009
2008111143.tif 000010
2008111143.tif 000011
2008111143.tif 000012
2008111143.tif 000013
2008111143.tif 000014
2008111143.tif 000015